(57)【要約】      （修正有）【課題】人体の動きでアンテナの指向特性に悪影響を及ぼさず、また装着性の良い無線センサーを提供する。【解決手段】人体情報を取得するセンサー部、信号処理部、無線送信部、バッテリー部を一つの機器として構成し、アンテナ部５は機器の外に形成され、前記機器とアンテナ部をリストバンドに取り付けたことを特徴とするリストバンドタイプの無線センサー。【選択図】図１
0003158376.tif 000002
【実用新案登録請求の範囲】
【請求項１】
人体情報を取得するセンサー部、信号処理部、無線送信部、バッテリー部を一つの機器として構成し、アンテナ部は機器の外に形成され、前記機器とアンテナ部をリストバンドに取り付けたことを特徴とするリストバンドタイプの無線センサー
【考案の詳細な説明】
【技術分野】
【０００１】  本考案は腕に取り付けるリストバンドタイプの無線センサーに関する。
【背景技術】
【０００２】  動きのある人体情報をセンサーで検知しそのデータを無線で送受信する技術は広く知られており、スポーツ医科学の分野で幅広く使用される。例えば脈拍イヤーセンサーはランニングマシーンなどで運動している時の脈拍を測定し分析するものであるが、耳たぶに発光素子と受光素子を挟んで脈拍を測定する。そのデータをケーブルを介して腹部のベルトに取り付けた無線送信装置により電波にて伝送するものである（特許文献１）。【０００３】  また昨今では介護の分野において健康管理のために人体情報を常時収集するシステムが求められている。この場合機器の小型、軽量は勿論であるが、機器の装着に対して違和感を覚えないことも重要な要素になる。
【先行技術文献】
【特許文献】
【０００４】
【特許文献１】特開２００２−３６０５２９
【考案の概要】
【考案が解決しようとする課題】
【０００５】  無線センサーは大きく分けてセンサー部、信号処理部、無線送信部、アンテナ部、バッテリ部から構成される。動きのある人体情報をセンサーで検知し無線伝送する場合、従来技術の脈拍イヤーセンサーのようにセンサー部と無線送信部をケーブルを介して接続するのではケーブルにより人体の動きに制約が出てしまい、このことにより無線センサー装着に対する違和感が出てしまう。【０００６】  これを避けるためには無線センサーの各構成部を一体化してかつ、軽薄短小の機器とすることが望まれる。しかしアンテナ部を機器の中に組み込むとアンテナ効率が低下するため電波の放射が弱まり、人体の動きによっては無線伝送が途切れる場合が出てくる。アンテナ効率を高めるにはアンテナ部は機器の外に出すことが望ましいが、外部に設置したアンテナと機器をケーブルなどで接続すると人体の動きに制約が生じてしまう。【０００７】  本考案は上記の点に鑑みてなされたもので、無線センサーの各構成部をケーブルなどを介さずに一体化し、人体の動きによって無線伝送が途切れずかつ人体の動きに影響を及ぼさない無線センサーを提供する。
【課題を解決するための手段】
【０００８】  人体情報を取得するセンサー部、信号処理部、無線送信部、バッテリー部を一つの機器として構成し、アンテナ部は機器の外に形成され、前記機器とアンテナ部をリストバンドに取り付けたことを特徴とする。
【考案の効果】
【０００９】  本考案の効果として、アンテナ部を含む無線センサーをリストバンドの一部に固定化するため装着に対する違和感は無くなる。またアンテナ部は機器の外に取り付けられるためアンテナ部からの電波放射が機器組み込みの場合のように阻害されることがなく、動きのある人体に対して好適な無線センサーの構成を提供することが出来る。
【図面の簡単な説明】
【００１０】
【図１】本考案の実施形態におけるリストバンドタイプの無線センサー
【図２】リストタイプの無線センサーの一部を示す図
【図３】無線センサーの機器部を示す図
【図４】無線センサーの回路ブロック図
【考案を実施するための形態】
【００１１】  以下、本考案の実施の形態を図に基づいて説明する。
【実施例】
【００１２】  図１は本考案の実施形態を示している。リストバンド、あるいはリストストラップは伸縮する布を使用し手首に巻きつけて使用するものであり、その用途は汗止めであったり、帯電防止であるなど様々な用途に使用される。広く使用されている点から装着に際して違和感の無いものである。このような伸縮自在な布２にフレキシブル基板３を取り付け、フレキシブル基板にはアンテナ部５が金属パターン形成され、さらに無線センサーの機器部４が取り付けられる。なお１はマジックテープを示すが、止め具には特に制限はない。【００１３】  図２に示すようにアンテナ部５は無線センサーの機器部４から外出しとし、フレキシブル基板にダイポールアンテナを形成するのが好適である。このようにすることによりアンテナ効率は高まり、人体の動きによって無線伝送が途切れることがなくなるため確実なデータ伝送が可能になる。またアンテナのサイズにも特に制限が無くなる。【００１４】  図２に示す無線センサーの機器部４とアンテナ部５の回路ブロック図を図４に示す。機器部４は回路ブロック（図４）に示すように圧力センサー６、ＣＰＵ、ＲＦＩＣ、リセットＩＣ、ウォッチドックタイマ９、リセットボタン１０より構成される。なお回路ブロックにはバッテリ７は示していない。ただし、回路ブロックには、必要な機能のみを記述しており、必ずしも全てを限定しているわけではない。【００１５】  この実施例におけるセンサー６は圧力センサーを使用し、脈拍を測る用途に使用する。図３には同一の圧力センサー６を二箇所形成しているが、リストバンドのズレによる検知漏れを防ぐだめであり、複数個が形成されていても良い。また同時に温度センサーを取り付けて体温を測定できるようようマルチセンサー構成とすることも可能である。本考案ではセンサーの種類、個数については特に限定されない。
【産業上の利用可能性】
【００１６】  本考案の無線センサーは腕首に取り付けるよう考案されたものである。リストバンドは広く使用されているものであり、装着に対して違和感が無いためである。またアンテナを機器の外に出す構成とし、アンテナはフレキシブル基板に形成するためアンテナサイズに特に制限が無くなり、アンテナ効率を高めることができるため、伝播距離の確保、あるいは送信電力を低減させることによる電池の長寿命化が可能となる。【００１７】  従来はランニングマシンやトレーニングマシーンなど、限られた範囲での動きに対して人体情報を取得し分析していたが、本考案を使用することにより広い範囲での運動、また屋内競技など実際的な運動に近い人体情報の取得が可能となり、スポーツ医科学の発展・向上に寄与するものである。また介護分野では被験者の健康（異常）管理が特に要求されているが、装着に対して少なくとも違和感があれば使用されることは無い。介護分野では健康管理の目的で使用できる無線センサーはこれまで無かったが、本考案であれば無理なく使用することが可能となる。
また、本考案の実施例では、フレキシブル基板に金属パターニングされたアンテナを用いたが、フレキシブル基板を使用せずにワイヤ形状のアンテナをリストバンドに直接組み込んでも同様な効果が得られることは明白である。
【符号の説明】
【００１８】１        マジックテープ
２        リストバンドの布
３        フレキシブル基板
４        無線センサーの機器部
５        アンテナ部
６        センサー部
７        バッテリ
８        半導体ＩＣのブロック
９        ウォッチドックタイマー
１０      リセットボタン
【図１】
0003158376.tif 000003
【図２】
0003158376.tif 000004
【図３】
0003158376.tif 000005
【図４】
0003158376.tif 000006
【手続補正書】
【提出日】平成22年1月5日(2010.1.5)
【手続補正１】
【補正対象書類名】実用新案登録請求の範囲
【補正対象項目名】全文
【補正方法】変更
【補正の内容】
【実用新案登録請求の範囲】
【請求項１】
人体に接触して人体情報を取得するセンサー部とセンサー部の信号を制御する信号制御部と外部からの制御信号を受信したり、センサー信号を増幅しアンテナ部に伝送するための無線送受信部とバッテリー部及びアンテナ部から構成される無線センサーにおいて、センサー部と信号制御部と無線送受信部とバッテリ部は筐体の中に配置することにより機器を構成し、前記センサー部は人体に接触するように前記機器の一方の面に露出して配置され、前記アンテナ部はケーブルなどを介して前記機器の外に配置される構成を採り、前記アンテナ部と前記機器がリストバンドに取り付けられたことを特徴とするリストバンドタイプの無線センサー
【手続補正２】
【補正対象書類名】明細書
【補正対象項目名】０００８
【補正方法】変更
【補正の内容】
【０００８】  人体に接触して人体情報を取得するセンサー部とセンサー部の信号を制御する信号制御部と外部からの制御信号を受信したり、センサー信号を増幅しアンテナ部に伝送するための無線送受信部とバッテリー部及びアンテナ部から構成される無線センサーにおいて、センサー部と信号制御部と無線送受信部とバッテリ部は筐体の中に配置することにより機器を構成し、前記センサー部は人体に接触するように前記機器の一方の面に露出して配置され、前記アンテナ部はケーブルなどを介して前記機器の外に配置される構成を採り、前記アンテナ部と前記機器がリストバンドに取り付けられたことを特徴とする。
【手続補正３】
【補正対象書類名】明細書
【補正対象項目名】００１４
【補正方法】変更
【補正の内容】
【００１４】  図２に示す無線センサーの機器部４とアンテナ部５の回路ブロック図を図４に示す。機器部４は回路ブロック（図４）に示すように圧力センサー６、ＣＰＵ、ＲＦＩＣ、リセットＩＣ、ウォッチドックタイマ９、リセットボタン１０より構成される。基本的な機器の構成としては、センサー部（圧力センサー６）、信号制御部（信号のＡ／Ｄ変換を行ったり、センサーのオンオフ指示を行ったりするＣＰＵが該当する。本実施例ではウオッチドックタイマー９、リセットボタン１０を付加した構成としている）、無線送受信部（本機器に制御に必要な外部からの信号を受信したり、Ａ／Ｄ変換されたセンサー信号を増幅しアンテナ部５に伝送するＲＦＩＣ）から成るものである。なお回路ブロックにはバッテリ７は示していない。ただし、回路ブロックには、必要な機能のみを記述しており、必ずしも全てを限定しているわけではない。
【手続補正４】
【補正対象書類名】明細書
【補正対象項目名】００１２
【補正方法】変更
【補正の内容】
【００１２】  図１は本考案の実施形態を示している。リストバンド、あるいはリストストラップは伸縮する布を使用し手首に巻きつけて使用するものであり、その用途は汗止めであったり、帯電防止であるなど様々な用途に使用される。広く使用されている点から装着に際して違和感の無いものである。このような伸縮自在な布２にフレキシブル基板３を取り付け、フレキシブル基板にはアンテナ部５が金属パターン形成され、さらに無線センサーの機器部４が取り付けられる。なお１はマジックテープ（登録商標）を示すが、止め具には特に制限はない。
【手続補正５】
【補正対象書類名】明細書
【補正対象項目名】００１５
【補正方法】変更
【補正の内容】
【００１５】  この実施例におけるセンサー６は圧力センサーを使用し、脈拍を測る用途に使用する。図３には同一の圧力センサー６を二箇所形成しているが、リストバンドのズレによる検知漏れを防ぐだめであり、複数個が形成されていても良い。また同時に温度センサーを取り付けて体温を測定できるようようマルチセンサー構成とすることも可能である。本考案ではセンサーの種類、個数については特に限定されない。なお図３に半導体ＩＣのブロック８を示しているが、ＲＦＩＣ、ＣＰＵなどが含まれる。
【手続補正６】
【補正対象書類名】明細書
【補正対象項目名】００１８
【補正方法】変更
【補正の内容】
【００１８】１        マジックテープ（登録商標）
２        リストバンドの布
３        フレキシブル基板
４        無線センサーの機器部
５        アンテナ部
６        センサー部
７        バッテリ
８        半導体ＩＣのブロック
９        ウォッチドックタイマー
１０      リセットボタン